(57)【要約】【課題】良好な送風性能が得られる二方向吹出しの送風機及び、これを備えた空気調和機を提供する。【解決手段】対向する二位置にそれぞれ吹出口７を設けたファンケーシング１内に羽根車Ｙを収容してなる送風機において、上記前面板１ｂの背面側に、該前面板１ｂから上記背面板１ａ側へ向けて次第に拡径変化する略円錐筒状の空気吹出案内板６を、上記羽根車Ｙの外周部を包設するようにして設ける。係る構成によれば、上記羽根車Ｙからの吹出気流は、上記空気吹出案内板６によって整流作用を受けながらその全周方向へ吹出されたのち、上記各空気吹出口７から吹出されることから、該吹出気流の上記羽根車Ｙの軸心に対する流れの軸対称性が維持され、その結果、上記送風機Ｘにおいては、対向する二方向への吹出構造をもつにも拘らず、その送風性能が良好に維持され、送風音の少ない効率的な送風作用が実現される。この送風機Ｘを備えた空気調和機Ｚでは、静粛運転性及び良好な空調特性が得られる。【選択図】        図１
2009203908.tif 000002
【特許請求の範囲】
【請求項１】
ベルマウス状の空気吸込口（５ａ）を備えた前面板（１ｂ）と該前面板（１ｂ）に対して所定間隔をもって対向配置される背面板（１ａ）を備えるとともに外周側の径方向に対向する二位置にそれぞれ吹出口（７）を設けたファンケーシング（１）内に、円周上に所定間隔で列設された多数の羽根（３）と該各羽根（３）の基端側を支持固定する円形の主板（２）を備えてなる羽根車（Ｙ）を収容して構成され、上記空気吸込口（５ａ）からの吸込空気を上記羽根車（Ｙ）の全周から吹き出したのち上記各空気吹出口（７）から径方向の二方向へそれぞれ吹出すようにした送風機であって、
上記前面板（１ｂ）の背面側に、該前面板（１ｂ）から上記背面板（１ａ）側へ向けて次第に拡径変化する略円錐筒状の空気吹出案内板（６）が、上記羽根車（Ｙ）の外周部を包設するようにして設けられていることを特徴とする送風機。
【請求項２】
請求項１において、
上記羽根車（Ｙ）の上記羽根（３）がシュラウドレスの後向き羽根であって、該各羽根（３）の先端外周部には環状形体をもつリング部材（８）が、該各羽根（３）の外周端から径方向外方へ延出するようにして取付けられていることを特徴とする送風機。
【請求項３】
請求項１において、
上記羽根車（Ｙ）の上記羽根（３）が、その先端側にシュラウド（９）が設けられた後向き羽根であることを特徴とする送風機。
【請求項４】
請求項２において、
上記リング部材（８）が、上記ファンケーシング（１）の前面板（１ｂ）側を略円弧面状とした形体であることを特徴とする送風機。
【請求項５】
請求項１，２，３又は４において、
上記ファンケーシング（１）の上記背面板（１ａ）が上記主板（２）に近接して配置されると共に、上記空気吹出案内部材（６）の軸方向高さ「Ｈｓ」が、上記空気吸込口（５ａ）の空気吸込面から主板前面までの軸方向高さを「Ｈｆ」、上記空気吸込口（５ａ）の空気吸込面から上記羽根（３）の外周側先端部までの距離を「Ｈｊ」とした場合に、「Ｈｓ≧Ｈｊ」で、かつ「Ｈｓ＝（０．２〜０．７）・Ｈｆ」に設定されていることを特徴とする送風機。
【請求項６】
ケーシング（２０）内の通風路に熱交換器（１０）と送風機（Ｘ）を配設して構成される空気調和機であって、
上記送風機（Ｘ）として、請求項１，２，３，４又は５に記載の送風機Ｘを採用したことを特徴とする空気調和機。
【発明の詳細な説明】
【技術分野】
【０００１】
本願発明は、羽根車からの吹出空気を、対向する二方向へ吹出すようにした送風機及び該送風機を備えた空気調和機に関するものである。
【背景技術】
【０００２】
かかる構造の送風機として、例えば、特許文献１及びと２に示されるものが知られている。
【０００３】
特許文献１に示されるものは、羽根車からの吹出気流を直接、ケーシングの上下二位置にそれぞれ設けられた吹出流路を介して前方側へ吹出すようにした床置形の室内機である。
【０００４】
特許文献２に示されるものは、遠心送風機において、シュラウドレスの多翼羽根を備えた羽根車の外周側を包設するようにディフューザを配置し、該羽根車の全周から吹出される気流を、上記ディフューザを介して吹出すようにしたものである。
【０００５】
【特許文献１】特開２００７−１８３０１４号公報。
【０００６】
【特許文献２】特開２００６−１９４２３５号公報。
【発明の開示】
【発明が解決しようとする課題】
【０００７】
しかし、上掲の特許文献１の構成の場合には、羽根車からその全周に向けて吹出される吹出気流を、矩形箱状形体をもつケーシングの上下二位置にそれぞれ設けた吹出流路側へ直接流入させる構成であるため、羽根車から吹出される吹出気流についてみれば、該羽根車の外周縁と上記ケーシングの壁面との相対位置がその全周において異なりその吹出抵抗が均等ではないことから、この吹出抵抗の相違に起因して、該羽根車からの吹出方向がその全周において不規則に変化し、その結果、羽根車の軸心回りの流れの軸対称性が損なわれ、良好な送風性能が得られなくなるという問題がある。
【０００８】
一方、上掲の特許文献２の構成の場合には、羽根車の全周から吹出される気流を、ディフューザを介して吹出すようにしたことで、羽根車からの吹出気流に対する吹出抵抗がその全周において可及的に均等化されるため、羽根車からの吹出気流の軸対称性が良好ならしめられるものの、該吹出気流を対向する二方向へ吹出すための具体的構成を開示するものではなく、該技術をそのまま「対向する二方向へ吹出す構成」の羽根車に適用しても良好な送風性能が得られるとは言えない。
【０００９】
そこで本願発明は、対向する二方向へ吹出す構成の羽根車において、良好な送風性能が得られるようにするとともに、併せて、該羽根車を備えることで良好な空調性能が得られるようにした空気調和機を提供することを目的としてなされたものである。
【課題を解決するための手段】
【００１０】
本願発明では、上記の問題を解決するための手段として、以下のような特有の構成を採用している。
【００１１】
本願の第１の発明では、ベルマウス状の空気吸込口５ａを備えた前面板１ｂと該前面板１ｂに対して所定間隔をもって対向配置される背面板１ａを備えるとともに外周側の径方向に対向する二位置にそれぞれ吹出口７を設けたファンケーシング１内に、円周上に所定間隔で列設された多数の羽根３と該各羽根３の基端側を支持固定する円形の主板２を備えてなる羽根車Ｙを収容して構成され、上記空気吸込口５ａからの吸込空気を上記羽根車Ｙの全周から吹き出したのち上記各空気吹出口７から径方向の二方向へそれぞれ吹出すようにした送風機において、上記前面板１ｂの背面側に、該前面板１ｂから上記背面板１ａ側へ向けて次第に拡径変化する略円錐筒状の空気吹出案内板６を、上記羽根車Ｙの外周部を包設するようにして設けたことを特徴としている。
【００１２】
本願の第２の発明では、上記第１の発明に係る送風機において、上記羽根車Ｙの上記羽根３をシュラウドレスの後向き羽根とするとともに、該各羽根３の先端外周部に環状形体をもつリング部材８を、該各羽根３の外周端から径方向外方へ延出するようにして取付けたことを特徴としている。
【００１３】
本願の第３の発明では、上記第１の発明に係る送風機において、上記羽根車Ｙの上記羽根３を、その先端側にシュラウド９が設けられた後向き羽根で構成したことを特徴としている。
【００１４】
本願の第４の発明では、上記第２の発明に係る送風機において、上記リング部材８の上記ファンケーシング１の前面板１ｂ側を、略円弧面状の形体としたことを特徴としている。
【００１５】
本願の第５の発明では、上記第１、第２、第３又は第４の発明に係る送風機において、上記ファンケーシング１の上記背面板１ａを上記主板２に近接して配置すると共に、上記空気吹出案内部材６の軸方向高さ「Ｈｓ」を、上記空気吸込口５ａの空気吸込面から主板前面までの軸方向高さを「Ｈｆ」、上記空気吸込口５ａの空気吸込面から上記羽根３の外周側先端部までの距離を「Ｈｊ」とした場合に、「Ｈｓ≧Ｈｊ」で、かつ「Ｈｓ＝（０．２〜０．７）・Ｈｆ」に設定したことを特徴としている。
【００１６】
本願の第６の発明では、ケーシング２０内の通風路に熱交換器１０と送風機Ｘを配設して構成される空気調和機において、上記送風機Ｘとして、請求項１，２，３，４又は５に記載の送風機Ｘを採用したことを特徴としている。
【発明の効果】
【００１７】
本願各発明では、以下のような特有の効果が得られる。
（ａ）  本願の第１の発明に係る送風機Ｘは、上記空気吹出口７が径方向に対向する二位置に設けられ、上記羽根車Ｙの外周縁と上記各空気吹出口７の相対位置が異なり、これに対応して吹出抵抗が不均等となるような構成をもつものであるが、この場合、上記空気吹出案内板６が上記羽根車Ｙの外周部を包設するようにして設けられていることで、上記羽根車Ｙの全周から吹出される吹出気流は、その吹出し直後から上記空気吹出案内板６によって整流作用を受けながら上記各空気吹出口７から吹出されることで、この吹出気流は、少なくとも上記空気吹出案内板６を通過するまでは二方向吹出構造に起因する吹出抵抗の不均等による影響を受けることがなく、上記羽根車Ｙの軸心に対する流れの軸対称性が維持されることになる。
【００１８】
この結果、上記送風機Ｘにおいては、対向する二方向への吹出構造をもつにも拘らず、その送風性能が良好に維持され、送風音の少ない効率的な送風作用が実現されることになる。
（ｂ）本願の第２の発明では、上記（ａ）に記載の効果に加えて、以下のような特有の効果が得られる。即ち、この発明では、上記羽根車Ｙの上記羽根３をシュラウドレスの後向き羽根とするとともに、該各羽根３の先端外周部に環状形体をもつリング部材８を、該各羽根３の外周端から径方向外方へ延出するようにして取付けているので、上記羽根３の後縁側から上記リング部材８の外側を回り込んで再度上記羽根３側に吸込まれる循環流が生じ、この循環流によって上記空気吸込口５ａからの空気の吸込み作用が促進されるとともに、上記羽根３における風速分布が改善され、上記空気吹出案内板６を備えたことによる効果との相乗作用によって、上記送風機Ｘの送風性能がさらに良好となる。
（ｃ）本願の第３の発明でも、上記（ａ）に記載の効果が得られる。
（ｄ）本願の第４の発明では、上記（ｂ）に記載の効果に加えて、以下のような特有の効果が得られる。即ち、この発明では、上記リング部材８の上記ファンケーシング１の前面板１ｂ側を、略円弧面状の形体としているので、上記羽根３の後縁側から上記リング部材８の外側を回り込んで再度上記羽根３側に吸込まれる循環流の流れがよりスムーズとなり、それだけ循環流による上記空気吸込口５からの空気の吸込み作用がより一層促進され、上記羽根３における風速分布がさらに改善されることで、上記送風機Ｘの送風性能がさらに向上する。
（ｅ）本願の第５の発明では、上記（ａ）、（ｂ）、（ｃ）又は（ｄ）に記載の効果に加えて、以下のような特有の効果が得られる。即ち、この発明では、上記ファンケーシング１の上記背面板１ａを上記主板２に近接して配置すると共に、上記空気吹出案内部材６の軸方向高さ「Ｈｓ」を、上記空気吸込口５ａの空気吸込面から主板前面までの軸方向高さを「Ｈｆ」、上記空気吸込口５ａの空気吸込面から上記羽根３の外周側先端部までの距離を「Ｈｊ」とした場合に、「Ｈｓ≧Ｈｊ」で、かつ「Ｈｓ＝（０．２〜０．７）・Ｈｆ」に設定している。
【００１９】
ここで、上記羽根車Ｙの羽根３がシュラウドレスの後向き羽根である場合には、「Ｈｓ／Ｈｆ」が大きくなり過ぎると、動圧が大きくなり、静圧が小さくなることで比騒音特性（静圧レベル）が劣化し、逆に、「Ｈｓ／Ｈｆ」が小さくなり過ぎると、整流効果が減少し、且つ循環流が過多となって、比騒音特性（静圧レベル）が劣化する。
【００２０】
また、上記羽根車Ｙの羽根３がシュラウド付の後向き羽根である場合には、「Ｈｓ／Ｈｆ」が大きくなり過ぎると、動圧が大きくなり、静圧が小さくなることで比騒音特性（静圧レベル）が劣化し、逆に、「Ｈｓ／Ｈｆ」が小さくなり過ぎると、整流効果が減少して比騒音特性（静圧レベル）が劣化する。
【００２１】
これらのことを勘案した結果、この請求項５の発明のように、「Ｈｓ≧Ｈｊ」で、かつ「Ｈｓ＝（０．２〜０．７）・Ｈｆ」に設定したものであり、係る設定とすることで、上記羽根車Ｙの羽根３がシュラウドレスの後向き羽根であっても、シュラウド付の後向き羽根であっても、共に、上記空気吹出案内板６の付設により、比騒音特性の向上と、高い整流効果を得ることができ、延いては上記送風機Ｘの送風性能がさらなる向上が期待できることになる。
（ｆ）本願の第６の発明によれば、ケーシング２０内の通風路に熱交換器１０と送風機Ｘを配設して構成される空気調和機において、上記送風機Ｘとして、請求項１，２，３，４又は５に記載の送風機Ｘを採用しているので、上記送風機Ｘが低騒音で且つ高い送風性能をもつことから、該送風機Ｘを備えた空気調和機Ｚにおいては、静粛運転性及び良好な空調特性が得られ、延いては高い商品価値をもつ空気調和機Ｚを提供することができる。
【発明を実施するための最良の形態】
【００２２】
以下、添付の図面を参照して、本願発明の幾つかの実施形態について説明する。
Ｉ：第１の実施形態
図１及び図２には、本願発明に係る送風機Ｘの第１の実施形態としての遠心送風機Ｘを示している。この遠心送風機Ｘは、ファンケーシング１内に羽根車Ｙを収容して構成される。
【００２３】
上記ファンケーシング１は、背面板１ａと前面板１ｂ及び側面板１ｃよりなる矩形形体を有し、上記前面板１ｂの中央には空気吸込口５ａとなるベルマウス５が形成されるとともに、その上下両面部分はそれぞれ開口されている。
【００２４】
また、上記前面板１ｂの背面側の上記空気吸込口５ａと同心上位置には、該前面板１ｂから上記背面板１ａ側へ向けて次第に拡径変化する略円錐筒状の空気吹出案内板６が取付けられている。そして、この空気吹出案内板６は、その拡径変化部分を第１気流ガイド面６ａとするとともに、該第１気流ガイド面６ａに連続して径方向外側へ延出する部分を第２気流ガイド面６ｂとしている。この第２気流ガイド面６ｂは上記ファンケーシング１の正面形状に沿った矩形形状とされている。従って、上記空気吹出案内板６を上記ファンケーシング１の前面板１ｂ側に固定した状態では、上記空気吹出案内板６の第２気流ガイド面６ｂ部分が切欠部５１に対向し、該第２気流ガイド面６ｂと上記背面板１ａとの対向スペースが空気吹出口７となり、上記ファンケーシング１の上下両面にそれぞれ開口している。
【００２５】
上記羽根車Ｙは、上記ファンケーシング１の上記背面板１ａの背面側中央部に固定されたファンモータ４の回転軸４ａに取付けられて回転駆動される円板形状の主板２の外周部２ａに、その円周方向に所定の間隔で多数枚（例えば３０〜４０枚）の羽根３を立設するとともに、該各羽根３の先端外端面に、該羽根３の傾斜ライン延長方向に沿って設けられてその前端側を補強固定する機能と後述する循環流の形成作用を成す略楕円状の断面形状をもつ環状体でなるリング部材８を固定して構成される。
【００２６】
そして、上記羽根車Ｙを上記ファンケーシング１側に組付けた状態では、図１に示すように、上記空気吸込口５ａの空気吸込面から上記羽根３の外周側先端部までの距離「Ｈｊ」よりも上記空気吹出案内部材６の軸方向高さ「Ｈｓ」が大きく（「Ｈｓ≧Ｈｊ」）成るようにこれらの寸法関係が相対的に設定されており、従って、この状態では、上記羽根車Ｙの外周部は上記空気吹出案内板６に包設された構成となっている。
【００２７】
さらに、上記空気吹出案内板６と上記空気吹出口７の関係であるが、この実施形態では、上記空気吹出案内部材６の軸方向高さ「Ｈｓ」を、上記空気吸込口５ａの空気吸込面から主板前面までの軸方向高さ「Ｈｆ」の０．２〜０．７倍の範囲に設定している。
【００２８】
また、上記空気吹出案内板６の第１気流ガイド面６ａと上記リング部材８の外端部の間には環状隙間が形成されている。
【００２９】
このように構成された上記送風機Ｘにおいては、以下のような作用効果が得られる。即ち、この送風機Ｘでは、上記ファンモータ４によって上記羽根車Ｙが回転駆動されると、上記空気吸込口５ａから空気が吸込まれ、これが上記羽根車Ｙの全周から吹出され、さらにこれが上記ファンケーシング１の上下の各空気吹出口７からそれぞれ外方に向かって吹出されることで送風作用が為される（図１の流線Ａ１参照）。
【００３０】
このように、上記送風機Ｘにおいては、上記羽根車Ｙからの吹出気流を上下に対向して設けられた上記各空気吹出口７から吹出させる二方向吹出構造をもつものでありながら、高い送風性能が得られるものである。
【００３１】
即ち、第１に、この実施形態の送風機Ｘでは、上記羽根車Ｙからその全周へ吹出される吹出気流を、そのまま直接的に上記各空気吹出口７から吹出せるのではなく、上記羽根車Ｙの外周側を包設するようにして上記空気吹出案内板６を設け、上記羽根車Ｙの全周から吹出される吹出気流を上記空気吹出案内板６を介して上記各空気吹出口７側へ吹出させるようにしたことで、該羽根車Ｙからの吹出気流は、その吹出し直後から上記空気吹出案内板６によって整流作用を受けながら上記各空気吹出口７から吹出されることから、この吹出気流は、少なくとも上記空気吹出案内板６を通過するまでは、二方向吹出構造に起因する吹出抵抗の不均等による影響を受けることなく、上記羽根車Ｙの軸心に対する流れの軸対称性が維持され、この結果、良好な送風性能が実現される。
【００３２】
第２に、この場合、上述のように、上記空気吹出案内板６の軸方向高さ「Ｈｓ」を、上記空気吸込口５ａの空気吸込面から主板前面までの軸方向高さを「Ｈｆ」、上記空気吸込口の空気吸込面から上記羽根３の外周側先端部までの距離を「Ｈｊ」とした場合に、「Ｈｓ≧Ｈｊ」で、かつ「Ｈｓ＝（０．２〜０．７）・Ｈｆ」となるように設定したことで、上記空気吹出案内板６の付設により、比騒音特性の向上と、高い整流効果を得ることができることになる。
【００３３】
ここで、係る設定の根拠として、実験により得られた騒音特性を、図３に示している。この騒音特性は、「Ｈｊ＝０．２Ｈｆ」の場合において、「Ｈｓ／Ｈｆ」の値を変化させた場合の最低比騒音レベル（静圧レベル）を示したもので、黒丸は本実施形態の送風機Ｘにおけるもの、白丸は従来構造の送風機におけるものを示している。この特性図からは、「Ｈｓ／Ｈｆ」が大きくなり過ぎると、動圧が大きくなり、静圧が小さくなることで比騒音特性（静圧レベル）が劣化し、逆に、「Ｈｓ／Ｈｆ」が小さくなり過ぎると、整流効果が減少し、且つ循環流が過多となって、比騒音特性（静圧レベル）が劣化することがわかる。この実験結果を踏まえれば、「Ｈｓ／Ｈｆ」の値を「０．２〜０．７」に設定することで、比騒音特性の向上と、高い整流効果を得ることができると言える。
【００３４】
第３に、さらに、上記羽根車Ｙの上記羽根３の先端外周部に環状形体をもつ上記リング部材８を、該各羽根３の外周端から径方向外方へ延出するようにして取付けたことで、上記羽根３の後縁側から上記リング部材８の外側を回り込んで再度上記羽根３側に吸込まれる循環流（図１の流線Ａ２参照）が生じ、この循環流によって上記空気吸込口５ａからの空気の吸込み作用が促進されるとともに、上記羽根３における風速分布が改善される。
【００３５】
これら第１〜第３の各作用の相乗効果として、上記送風機Ｘは、対向する二方向への吹出構造をもつものであるにも拘らず、その送風性能が良好に維持され、送風音の少ない効率的な送風作用が実現される。
【００３６】
なお、図１に鎖線ハッチングを付したように、上記空気吹出案内板６の背面側の空間部分に、例えば、吸音材を充填して送風騒音の低減を図るとか、吸湿材とか吸臭材を充填して吹出空気を調質するように構成することもできる。係る構成は、後述のように上記遠心送風機Ｘを空気調和機に組み込む場合に好適である。
【００３７】
ＩＩ：第２の実施形態
図４には、本願発明の第２の実施形態に係る送風機Ｘを示している。この実施形態の送風機Ｘは、上記第１の実施形態に係る送風機Ｘと基本構成を同じにするものであって、これと異なる点は、上記各羽根３の先端外周部に設けられたリング部材８の構造である。
【００３８】
即ち、上記第１の実施形態に係る送風機Ｘでは上記リング部材８を、略楕円状の断面形状をもつ環状体で構成していたのに対して、この実施形態では、該リング部材８を略半円状の断面形状をもつ環状体で構成し、且つその円弧面を上記ファンケーシング１の前面板１ｂ側へ向けた状態で取付けた点である。
【００３９】
係る構成とすることで、上記羽根３の後縁側から上記リング部材８の外側を回り込んで再度上記羽根３側に吸込まれる循環流Ａ２の流れがよりスムーズとなり、それだけ循環流による上記空気吸込口５からの主流空気Ａ１の吸込み作用がより一層促進され、上記羽根３における風速分布がさらに改善されることで、上記送風機Ｘの送風性能がさらに向上するものである。
【００４０】
なお、上記以外の構成及び作用効果は上記第１の実施形態の場合と同様であるので、図４の各部材に図１の各部材に対応させて同一符号を付して、該第１の実施形態における該当説明を援用することで、ここでの説明を省略する。
【００４１】
ＩＩＩ：第３の実施形態
図５には、本願発明の第３の実施形態に係る送風機Ｘを示している。この実施形態の送風機Ｘは、上記ファンケーシング１に上記空気吹出案内板６を備えるなど、上記第１の実施形態に係る送風機Ｘと基本構成を同じにするものであって、これと異なる点は、上記第１の実施形態においては上記羽根車Ｙがシュラウドレス構造であったのに対して、この実施形態では該羽根車Ｙがシュラウド９を備えた構造とされている点である。
【００４２】
この送風機Ｘにおいては、上記各実施形態の場合と同様に、上記羽根車Ｙの外周側を包設するようにして上記空気吹出案内板６を設けたことで、該羽根車Ｙからの吹出気流は、その吹出し直後から上記空気吹出案内板６によって整流作用を受けながら上記各空気吹出口７から吹出されることから、二方向吹出構造に起因する吹出抵抗の不均等による影響を受けることなく、上記羽根車Ｙの軸心に対する軸対称性が維持され、この結果、良好な送風性能が実現されることは勿論である。
【００４３】
なお、上記以外の構成及び作用効果は上記第１の実施形態の場合と同様であるので、図５の各部材に図１の各部材に対応させて同一符号を付して、該第１の実施形態における該当説明を援用することで、ここでの説明を省略する。
【００４４】
ＩＶ：第４の実施形態
図６には、本願発明の第４の実施形態として、上記第１の実施形態に係る送風機Ｘを組み込んで構成された床置型の空気調和機（室内機）Ｚを示している。
【００４５】
この空気調和機Ｚは、前面中央部に吸込口２５を、また該吸込口２５を上下方向に挟んだ上下二位置に下側吹出通路２１と上側吹出通路２２を備えた上下吹出タイプのケーシング２０内に、上記送風機Ｘを、上記ベルマウス５が上記吸込口２５に対して同軸上に対向するようにして配置するとともに、該ベルマウス５と吸込口２５の間に熱交換器１０を配置して構成される。
【００４６】
係る構成の空気調和機Ｚにおいては、上記送風機Ｘの運転によって上記吸込口２５から吸込まれた空気Ａ１は、該送風機Ｘの全周から吹出された後、上記下側吹出通路２１と上側吹出通路２２を通して室内側へ向けて吹出される。
【００４７】
この場合、従来構造の送風機であれば、上下二方向吹出構造に起因する吹出抵抗の不均等により吹出空気の軸対称性が損なわれて送風性能が低下するが、この実施形態の送風機Ｘでは、上記羽根車Ｙの外周側を包設するようにして上記空気吹出案内板６が設けられていることで、該羽根車Ｙからの吹出気流は、その吹出し直後から上記空気吹出案内板６によって整流作用を受けながら上記各空気吹出口７から吹出されて上記下側吹出通路２１及び上側吹出通路２２側へ導入されることで、二方向吹出構造に起因する吹出抵抗の不均等による影響を受けることなく、上記羽根車Ｙの軸心に対する軸対称性が維持されて良好な送風性能が実現され、延いては上記空気調和機Ｚの空調性能が向上することになる。即ち、上記送風機Ｘは、対向する二位置からそれぞれ空調風が吹出される構造をもつ空気調和機Ｚの送風機として最適なものといえる。
【００４８】
また、この空気調和機Ｚでは、上記送風機Ｘの羽根車Ｙに上記リング部材８が備えられていることで、上記羽根３の後縁側から上記リング部材８の外側を回り込んで再度上記羽根３側に吸込まれる循環流Ａ２の流れがよりスムーズとなり、それだけ循環流Ａ２による上記空気吸込口５からの主流空気Ａ１の吸込み作用がより一層促進され、上記羽根３における風速分布の改善によって上記送風機Ｘの送風性能、延いては上記空気調和機Ｚの空調性能がさらに向上することになる。
【図面の簡単な説明】
【００４９】
【図１】本願の第１の実施形態にかかる送風機の全体構成を示す断面図である。
【図２】同送風機の一部断面正面図である。
【図３】同送風機の騒音特性説明図である。
【図４】本願の第２の実施形態にかかる送風機の全体構成を示す断面図である。
【図５】本願の第３の実施形態にかかる送風機の全体構成を示す断面図である。
【図６】本願発明の実施形態にかかる空気調和機の全体構成を示す断面図である。
【符号の説明】
【００５０】
１はファンケーシング、２は主板、３は羽根、４はファンモータ、５はベルマウス、５ａは空気吸込口、６は空気吹出案内板、７は空気吹出口、８はリング部材、９はシュラウド、１０は熱交換器、２０はケーシング、２１は下側吹出通路、２２は上側吹出通路、２５は吸込口、Ｘは送風機、Ｙは羽根車、Ｚは空気調和機である。
【図１】
2009203908.tif 000003
【図２】
2009203908.tif 000004
【図３】
2009203908.tif 000005
【図４】
2009203908.tif 000006
【図５】
2009203908.tif 000007
【図６】
2009203908.tif 000008